(57)【要約】      （修正有）【課題】容易に洗濯をすることができ、優れた洗濯耐久性を有する枕を提供する。【解決手段】枕１０は、シリコンコーティング加工が施されているとともに中空構造で且つ螺旋状の繊維で構成されている中綿が袋体に充填されている中材２０と、中材を覆うとともに、三次元メッシュ構造の生地で構成されているカバー３０とを備える。【選択図】図１
0003226057.tif 000002
【実用新案登録請求の範囲】
【請求項１】
シリコンコーティング加工が施されているとともに中空構造で且つ螺旋状の繊維で構成されている中綿が袋体に充填されている中材と、
前記中材を覆うとともに、三次元メッシュ構造の生地で構成されているカバーと
を備えることを特徴とする枕。
【考案の詳細な説明】
【技術分野】
【０００１】
本発明は、容易に洗うことができ、洗濯耐久性があり、枕に関する。
【背景技術】
【０００２】
通常、寝具用の枕は、良好な肌触りと吸湿性の観点から、布の袋体に羽材が充填されている。ただ、羽材は高級であり、特に鳥の脇腹部分の羽毛は収穫量が少なく高価である。そこで、例えば特許文献１には、低価格の観点から、羽毛の使用量を低減した枕が開示されている。
【０００３】
一方、羽材を用いた枕は洗濯が容易ではなく、洗濯に手間とコストがかかるため、例えば特許文献２には、化学繊維からなる袋体にセラミクスを添加せしめたパイプ状の化学繊維を充填した枕が開示されている。この枕は乾燥性に優れるとともに通気性が高いことも開示されている。
【先行技術文献】
【特許文献】
【０００４】
【特許文献１】実公昭５１−５１３８４９号公報
【特許文献２】登録実用新案第２５５６７７４号公報
【考案の概要】
【考案が解決しようとする課題】
【０００５】
しかし、特許文献１に記載の枕で用いられている羽材は、洗濯を繰り返すと固まったりへたるため、購入当初の肌触りや嵩高を維持することが難しく、洗濯耐久性が劣る。購入時の肌触りや嵩高が維持されるように高度の洗濯を行うと、費用が嵩んでしまう。
【０００６】
また、特許文献２に記載の考案であっても、袋体が汚れた場合には枕全体を洗濯する必要がある。充填材を取り出して袋体だけを洗濯してもよいが、手間がかかるために洗濯コストが高くなる。さらに、充填材として使用されているパイプ状の化学繊維は、中空であるために使用時および洗濯時に嵩が徐々に減少する懸念がある。
【０００７】
本考案の課題は、容易に洗濯をすることができ、嵩高の減少が抑制された優れた洗濯耐久性を有する枕を提供することである。
【課題を解決するための手段】
【０００８】
本考案者は、上記のような事情を鑑み、枕を中材とカバーで構成した上で、各構成を独立して洗濯をすることができるようにした。また、洗濯による嵩高の減少を抑制することができる繊維構造の生地を用いた。これにより、洗濯容易性と洗濯耐久性の両立が実現でき、次の考案が完成した。
【０００９】
（１）シリコンコーティング加工が施されているとともに中空構造で且つ螺旋状の繊維で構成されている中綿が袋体に充填されている中材と、中材を覆うとともに、三次元メッシュ構造の生地で構成されているカバーとを備えることを特徴とする枕。
【図面の簡単な説明】
【００１０】
【図１】図１は、本考案に係る枕のカバーから中材を取り出した各々の斜視図であり、図１（ａ）はカバーであり、図１（ｂ）は中材である。
【図２】図２は、本考案に係る枕を構成する中材の中綿を拡大した模式図であり、図２（ａ）は繊維の中空構造を示す模式図であり、図２（ｂ）は中空構造を備える繊維が螺旋状に形成されていることを示す模式図である。
【図３】図３は、本考案に係る枕を構成するカバーの生地の一部を抽出した部分斜視図である。
【考案を実施するための形態】
【００１１】
図１は、本考案に係る枕１０の中材２０をカバー３０から取り出した各々の斜視図であり、図１（ａ）はカバー３０であり、図１（ｂ）は中材２０である。図１に示すように、本考案の枕１０は、中材２０、およびカバー３０で構成されている。本考案は、例えばカバー３０が汚れた場合にはカバー３０から中材２０を取り出してカバー３０だけ洗濯を行うことができるため、洗濯のコストを大幅に低減することが可能になる。これに加えて、中材２０およびカバー３０は洗濯耐久性に優れる生地を使用しているため、洗濯を繰り返しても枕の嵩高の減少を抑制することができる。各部を以下で詳述する。
【００１２】
（１）中材
図２は、本考案に係る枕を構成する中材２０の中綿を拡大した模式図であり、図２（ａ）は繊維２１の中空構造を示す模式図であり、図２（ｂ）は中空構造を備える繊維２１が螺旋状に形成されていることを示す模式図である。中材２０は、シリコンコーティング加工が施されているとともに中空構造で且つ螺旋状の繊維２１で構成されている中綿が袋体に充填されてなる。各繊維は撥水性を有するシリコンでコーティングされていることにより速乾性が向上し優れた洗濯耐久性を示す。また、繊維同士の摩擦が低減するため、中綿が固まったりへたることが少なく、肌触りがよく軽い触感を持続させることができる。
【００１３】
さらに、中材２０で使用される中綿の繊維２１は、中空構造であるとともに螺旋状であるため、高い嵩高性を示すとともに羽材と比較して遜色がない肌触りと弾力性を示す。中空の繊維を用いただけでは洗濯耐久性などが劣化しやすいが、本考案の中材２０に用いた繊維２１は螺旋状であるため、耐へたり性が向上することにより高い洗濯耐久性を示す。中材２０で使用されている袋体もポリウレタンなどの化学繊維で形成されているため、洗濯耐久性に優れ、中材２０をそのまま洗うことができる。
【００１４】
（２）カバー
カバー３０は、中材２０を覆うとともに、三次元メッシュ構造の生地で構成されている。図１に示すように、カバー３０は格子状のメッシュが施されており、通気性に優れる。カバー３０で用いている生地を、図３を用いて詳述する。
【００１５】
図３は、本考案に係る枕を構成するカバー３０の生地の一部を抽出した部分斜視図である。図３に示すように、カバー３０で用いられている生地は、表面メッシュ層３１と裏面メッシュ層３２が連結層３３を挟むように構成されているため、通気性および復元力に優れるとともに速乾性に優れる。なお、作図上、連結層３３を構成する繊維３４は太く記載されているが、実際には細い複数の繊維で構成されている。
【００１６】
図３に示すように、生地の板厚方向から荷重を加えた場合、応力が表面メッシュ層３１を介して連結層３３に加わるが、連結層３３は多数の化学繊維で構成されているため、荷重により加わる応力が各繊維に分散される。連結層３３の材質は特に限定されないが、ナイロン、ポリエステル、ポリプロピレンなどであれば、上記のような使用形態では降伏点が高く塑性変形し難い。よって、通常使用する際に加わる荷重程度で繊維が折れ曲がることはほとんどなく、高い復元力を示す。また、湿気は各層を通過するために通気性にも優れる。
【００１７】
各メッシュ層３１および３２と連結層３３との連結構造は特に限定されないが、例えば、連結層３３の繊維３４が交差するように連結されているクロス構造が挙げられる。各メッシュ層３１および３２と連結層３３の繊維３４とで三角形を構成するトラス構造であってもよい。また、各メッシュ層３１および３２と連結層３３を構成する繊維で四角形を形成した上で、さらに対角線上に繊維を入れる筋交構造であってもよい。
【符号の説明】
【００１８】
１０  枕、２０  中材、２１  （中材を構成する）繊維、３０  カバー、３１  表面メッシュ層、３２  裏面メッシュ層、３３  連結層、３４  （連結層を構成する）繊維
【図１】
0003226057.tif 000003
【図２】
0003226057.tif 000004
【図３】
0003226057.tif 000005